(57)【要約】【課題】感光材料がエンプティになっても画像記録の停止を生じさせずに、その後の処理も実行することが可能な画像記録装置を実現することを可能にする。【解決手段】保持されたカートリッジ情報を参照し、予め使用可能であるとしてカートリッジ情報が登録されたカートリッジ、あるいは、装填されたカートリッジのいずれかから最適なカートリッジを選択することができ、選択範囲を任意に設定することが可能になる。また、選択されたカートリッジの感光材料が空となった場合に、該選択されたカートリッジを今後の選択対象として保持するかあるいは解除するかが設定可能に構成されているため、継続動作させるための条件を決定することが可能になる。【選択図】      図１
2005051343.tif 000002
【特許請求の範囲】
【請求項１】
各色毎に色分解された状態の画像データを受信し、前記画像データに基づいて、複数の発色層からなる感光材料を波長の異なる光を発する複数の各光源により露光して、前記感光材料にカラー画像を記録する画像記録装置であって、
色分解された画像データを受信する受信手段と、
受信された前記画像データを格納する画像データ格納手段と、
カートリッジに収容されている前記感光材料が複数装填されており、画像データに応じた露光用にいずれかのカートリッジから前記感光材料を送り出す給紙手段と、
前記画像データ格納手段に格納されている前記画像データに基づいて前記感光材料上に露光記録する露光手段と、
前記露光記録された感光材料を現像処理する現像手段と、
前記給紙手段での給紙の制御および前記露光手段での露光記録の制御ならびに前記現像手段で現像処理の制御を行う制御手段と、
前記給紙手段において使用可能なカートリッジについてのカートリッジ情報が保持されるカートリッジ情報保持手段と、を有し、
前記制御手段は、前記カートリッジ情報保持手段に保持されたカートリッジ情報を参照し、予め使用可能であるとしてカートリッジ情報が登録されたカートリッジあるいは装填されたカートリッジの中から最適なカートリッジを選択して給紙時に要求し、
前記カートリッジ情報保持手段では、前記選択されたカートリッジの感光材料が空となった場合に、該選択されたカートリッジを今後の選択対象として保持するかあるいは解除するかを設定可能に構成された、ことを特徴とする画像記録装置。
【請求項２】
前記制御手段は、前記選択されたカートリッジの感光材料が空となった際に、該選択されたカートリッジを今後の選択対象として保持すると前記カートリッジ情報保持手段に設定されている場合には、同一の感光材料が収容された他のカートリッジが装填されていれば、該他のカートリッジを選択し、同一の感光材料が収容された他のカートリッジが装填されていなければ警告を発する、ことを特徴とする請求項１記載の画像記録装置。
【請求項３】
前記制御手段は、前記選択されたカートリッジの感光材料が空となった際に、該選択されたカートリッジを今後の選択対象として解除すると前記カートリッジ情報保持手段に設定されている場合には、記録条件を満足する感光材料が収容された他のカートリッジが装填されていれば、該他のカートリッジを選択し、記録条件を満足する感光材料が収容された他のカートリッジが装填されていなければ警告を発する、ことを特徴とする請求項１記載の画像記録装置。
【発明の詳細な説明】
【０００１】
【発明の属する技術分野】
本発明は、画像記録装置に関し、特に、ＲＩＰ（ラスター・イメージ・プロセッサ）または網点変換処理装置などのホスト装置で処理された網点形式の画像データ（網点画像データ）に基づき、波長の異なる複数光源によってカラー感光材料を感光させることで、印刷物の仕上がりを事前に確認する為のカラープルーフを作成するものに関する。
【０００２】
【従来の技術】
一般にカラー印刷物を作成する際には、原稿フィルムの段階で色校正を行うことが要求される場合があり、このような場合には、Ｃ（シアン）版、Ｍ（マゼンタ）版、Ｙ（イエロー）版、及び、Ｋ（ブラック）版に色分解された各色分解網原稿フィルムを使って校正物（カラープルーフ）を作成し、本番の印刷版を作成する前に、原稿フィルムのレイアウトや色、更に、文字等に関する誤りの有無検査を含む最終印刷物の仕上がり品質を確認している。
【０００３】
近年においては、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集、ページ面付けする作業が一般化し、フルデジタルでの編集も珍しくなくなってきている。
【０００４】
このような工程では、更なる効率化を目指して、ページ編集済みの画像データをフィルムに直接出力するイメージセッタ出力や、印刷版に直接出力するＣＴＰ（Ｃｏｍｐｕｔｅｒ  Ｔｏ  Ｐｌａｔｅ）出力、更には、印刷機のシリンダー上に巻かれた印刷版に直接画像出力するＣＴＣ（Ｃｏｍｐｕｔｅｒ  Ｔｏ  Ｃｙｌｉｎｄｅｒ）が行われる。
【０００５】
この場合、校正確認の為だけにフィルム出力や印刷版出力を行う必要があり、最終的な印刷物作成と同等若しくはそれ以上の手間や時間、更に、フィルム、印刷版の無駄が発生する問題がある。
【０００６】
その為、特に、このようなコンピューターによるフルデジタルの画像作成、編集を行う工程では、カラープルーフの作成は、ＤＤＣＰ（Ｄｉｒｅｃｔ  Ｄｉｇｉｔａｌ  Ｃｏｌｏｒ  Ｐｒｏｏｆ）、乃至は、ＤＣＰ（Ｄｉｇｉｔａｌ  Ｃｏｌｏｒ  Ｐｒｏｏｆ）と呼ばれるデジタル画像データを直接出力してカラー画像を得るシステムが求められている。
【０００７】
このようなＤＤＣＰは、コンピュータ上で加工されたデジタル画像データからイメージセッタなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったり等する前に、コンピュータ上で加工されたデジタル画像を直接出力して印刷仕上がり品質を再現するカラープルーフを作成し、その絵柄、色調、文章、文字等の確認作業を行えるようにしたものである。
【０００８】
また、このような製版・印刷工程における校正のプロセスでは、
（１）作業現場内部のミスの確認用である内校，
（２）発注主、デザイナーへの仕上がり確認用に提出される外校，
（３）印刷機の機長に対して、最終印刷物の見本として提供される印刷見本，の主として３つの用途向けにプルーフが作成、使用される。
【０００９】
校正プロセスの内、内校及び、一部の外校用途においては、納期短縮、コスト削減等のニーズから、網点画像が再現できない校正材料を使用したＤＤＣＰ、即ち、昇華転写方式やインクジェット、電子写真等の出力物を主として、体裁確認用のプルーフとして使用するケースがあるが、ハイライト部の再現性や、細かいディテール、更に、印刷時のモアレと呼ばれる網画像の不適切な干渉縞発生有無等の品質確認や、印刷見本として使用するプルーフ用途には、やはり印刷網点を忠実に再現するプルーフ出力が望まれているのが実状である。
【００１０】
このようなニーズを満足するＤＤＣＰとしては、ハイパワーヒートモードレーザーを用いて感光材料に画像露光を行い、印刷本紙に転写するタイプのものがある。しかし、このような高品質の網点を再現できるシステムでは、装置及び、感光材料のコストが高くなる欠点があった。
【００１１】
これに対し、近年、低コストで更に網点画像の確認ができる銀塩カラー感光材料を利用したＤＤＣＰが普及し始めている。銀塩カラー感光材料を利用した方式は、例えば、Ｒ，Ｇ，Ｂの波長の異なる複数の光を組み合わせて合成された光点で例えば、Ｃ，Ｍ，Ｙの各発色層にて構成される感光材料を露光して、Ｃ，Ｍ，Ｙの各ドットを発色させて、網点カラー画像を形成するものである。この種の画像記録装置は、例えば、特許文献１に記載されている。
【００１２】
【特許文献１】
特開２００２―２４７５１５号公報（第１頁、第１図）
【００１３】
【発明が解決しようとする課題】
ところで、このような画像記録装置では、感光材料はカートリッジに収容された状態で画像記録装置に装填されている。そして、装填されたカートリッジが一つの場合には、そのカートリッジを用いて画像記録を実行していた。
【００１４】
また、複数のカートリッジを装填することが可能な画像記録装置も存在しており、そのような画像記録装置では、操作部から指定された、あるいは、ホスト装置から指定されたカートリッジを用いて画像記録を実行するようになっていた。
【００１５】
いずれの場合も、使用しているカートリッジの感光材料が空（エンプティ）になると、画像記録装置はエンプティ警告を発して画像記録動作を停止するように制御されていた。
【００１６】
また、夜間に自動運転するような画像記録装置では、以上のようなエンプティによる停止が生じることで、その後のすべての処理も実行できなくなるおそれがあった。
【００１７】
本発明は、上記事情に鑑みてなされたものであり、その目的とするところは、感光材料がエンプティになっても画像記録の停止を生じさせずに、その後の処理も実行することが可能な画像記録装置を実現すること
にある。
【００１８】
【課題を解決する為の手段】
上述した課題は、以下に述べるそれぞれの解決手段のそれぞれによって解決されるものである。
【００１９】
（１）本発明は、各色毎に色分解された状態の画像データを受信し、前記画像データに基づいて、複数の発色層からなる感光材料を波長の異なる光を発する複数の各光源により露光して、前記感光材料にカラー画像を記録する画像記録装置であって、色分解された画像データを受信する受信手段と、受信された前記画像データを格納する画像データ格納手段と、カートリッジに収容されている前記感光材料が複数装填されており、画像データに応じた露光用にいずれかのカートリッジから前記感光材料を送り出す給紙手段と、前記画像データ格納手段に格納されている前記画像データに基づいて前記感光材料上に露光記録する露光手段と、前記露光記録された感光材料を現像処理する現像手段と、前記給紙手段での給紙の制御および前記露光手段での露光記録の制御ならびに前記現像手段で現像処理の制御を行う制御手段と、前記給紙手段において使用可能なカートリッジについてのカートリッジ情報が保持されるカートリッジ情報保持手段と、を有し、前記制御手段は、前記カートリッジ情報保持手段に保持されたカートリッジ情報を参照し、予め使用可能であるとしてカートリッジ情報が登録されたカートリッジあるいは装填されたカートリッジの中から最適なカートリッジを選択して給紙時に要求し、前記カートリッジ情報保持手段では、前記選択されたカートリッジの感光材料が空となった場合に、該選択されたカートリッジを今後の選択対象として保持するかあるいは解除するかを設定可能に構成された、ことを特徴とする画像記録装置である。
【００２０】
この発明では、各色毎に色分解された状態の画像データを受信し、画像データに基づいて、複数の発色層からなる感光材料を波長の異なる光を発する複数の各光源により露光して、感光材料にカラー画像を記録する際に、保持されたカートリッジ情報を参照し、予め使用可能であるとしてカートリッジ情報が登録されたカートリッジあるいは装填されたカートリッジの中から最適なカートリッジを選択して給紙時に要求し、選択されたカートリッジの感光材料が空となった場合に、該選択されたカートリッジを今後の選択対象として保持するかあるいは解除するかを設定可能に構成されている。
【００２１】
したがって、保持されたカートリッジ情報を参照し、予め使用可能であるとしてカートリッジ情報が登録されたカートリッジ、あるいは、装填されたカートリッジのいずれかから最適なカートリッジを選択することができ、選択範囲を任意に設定することが可能になる。
【００２２】
また、選択されたカートリッジの感光材料が空となった場合に、該選択されたカートリッジを今後の選択対象として保持するかあるいは解除するかが設定可能に構成されているため、継続動作させるための条件を決定することが可能になる。
【００２３】
（２）上記（１）において、選択されたカートリッジの感光材料が空となった際に、該選択されたカートリッジを今後の選択対象として保持すると設定されている場合には、同一の感光材料が収容された他のカートリッジが装填されていれば、該他のカートリッジを選択し、同一の感光材料が収容された他のカートリッジが装填されていなければ警告を発する。
【００２４】
この結果、選択されたカートリッジの感光材料が空となっても、該選択されたカートリッジを今後の選択対象として保持すると設定されている場合には、同一の感光材料が収容された他のカートリッジが装填されていれば、該他のカートリッジを選択するため、感光材料がエンプティになっても画像記録の停止を生じさせずに、その後の処理も実行することが可能になる。また、同一の感光材料が収容された他のカートリッジが装填されていない場合に警告を発するため、画像記録の停止が最小限ですむようになる。
【００２５】
（３）また、上記（１）において、選択されたカートリッジの感光材料が空となった際に、該選択されたカートリッジを今後の選択対象として解除すると前記カートリッジ情報保持手段に設定されている場合には、記録条件を満足する感光材料が収容された他のカートリッジが装填されていれば、該他のカートリッジを選択し、記録条件を満足する感光材料が収容された他のカートリッジが装填されていなければ警告を発する。
【００２６】
この結果、選択されたカートリッジの感光材料が空となった際に、該選択されたカートリッジを今後の選択対象として解除すると設定されている場合には、記録条件を満足する感光材料が収容された他のカートリッジが装填されていれば、該他のカートリッジを選択するため、感光材料がエンプティになっても画像記録の停止を生じさせずに、その後の処理も実行することが可能になる。また、記録条件を満足する感光材料が収容された他のカートリッジが装填されていなければ警告を発するため、画像記録の停止が最小限ですむようになる。
【００２７】
【発明の実施の形態】
以下、添付図面を参照して、この発明にかかる画像記録装置の好適な実施の形態例について説明する。なお、これにより本発明の内容が限定されるものではない。
【００２８】
まず、本実施の形態にかかる画像記録装置の全体構成について説明する。
〈装置の機械的な全体構成〉
図７以降に本発明の実施の形態例の画像記録装置が適用されるカラープルーフ作成装置を示す。なお、本発明の画像記録装置はカラーに限られるものではなく、モノクロの画像記録であってもよい。ここでは、一例として、カラーの画像記録装置としてカラープルーフ作成装置について説明を行う。
【００２９】
図７はカラープルーフ作成装置の全体の外観を示す斜視図、図８はカラープルーフ作成装置の内部構成の模式図である。また、図９と図１０に内部の主要部分の構成を示す。
【００３０】
図７に示すカラープルーフ作成装置１の装置本体２には、露光ユニット３および現像処理ユニット４が備えられている。露光ユニット３は、上面パネル１３及び前面パネル６が開閉可能に設けられ、メンテナンスが上面及び前面側から行われる。
【００３１】
露光ユニット３の上部には、感光材料の装填部をなす紙装填部７が配置され、この紙装填部７の横の装置本体２の前面側に操作部８が配置されている。紙装填部７には、給紙カバー９ａおよび９ｂが開閉可能に設けられている。また、操作部８には、液晶パネル１１とタッチパネル１２が設けられている。
【００３２】
現像処理ユニット４には、上面パネル１３及び補給パネル１４が開閉可能に設けられ、メンテナンスが上面側から行われ、処理液の補充が前面側から行われる。現像処理ユニット４の側部には排紙部１５が設けられ、処理された感光材料が排紙部１５に排出される。
【００３３】
図８は、カラープルーフ作成装置の内部構成の模式図である。カラープルーフ作成装置１の装置本体２は、露光ユニット３および現像処理ユニット４を有する。露光ユニット３は、感光紙に露光を行い画像情報を記録し、現像処理ユニット４は、露光された感光紙の現像を行う。
【００３４】
露光ユニット３は、紙装填部７、給紙部２０、露光室７６、排紙部５０および操作部８を含む。給紙カバー９ａおよび９ｂの内部には、記録媒体たる感光材料（以下、ペーパーまたは感光紙ともいう）を収納したカートリッジ１０ａおよび１０ｂがセットされる。
【００３５】
ここでは、カートリッジが２本装填されている状態を示しているが、本発明の実施の形態例の画像記録装置では、この２本に限られず、単数若しくは複数のカートリッジを装填可能であるものとする。
【００３６】
なお、操作部８では、オペレータによる各種パラメータ、例えば設定時間等の設定、および、カートリッジ情報の登録、ならびに、カートリッジの交換要求の表示等が行われる。
【００３７】
ここで、カートリッジ情報とは、給紙手段において使用可能なカートリッジについてのカートリッジ情報であり、このカートリッジ情報はカートリッジ情報保持手段に保持される。
【００３８】
給紙部２０は、給紙ローラーを備えており、カートリッジ１０ａあるいは１０ｂから感光紙を引き出して、カッターで所定の長さに切断した後に、露光室７６へ送る。
【００３９】
露光室７６は、主走査部３０、ドラム３１および副走査部４０を含む。主走査部３０に位置するドラム３１は、回転可能に設けられ、感光材料がドラム３１の外表面に吸着されて一体に回転する。主走査部３０には、ドラム３１に対向して光学ユニット３２が配置され、光学ユニット３２は副走査部４０によりドラム軸と平行に移動可能になっている。光学ユニット３２は、デジタル画像信号を受けてドラム３１に吸着された感光紙に光ビームで露光して画像の書き込みを行う。
【００４０】
排紙部５０は、剥離ガイド５１、アキュームレーター部５４をなすアキュームレーターガイド２９および搬送ローラー２８等を含み、露光された感光紙を、ドラム３１上から剥離ガイド５１により剥離し、アキュームレーター部５４で蓄積しつつ、露光された感光紙の現像速さでもって現像処理ユニット４に排紙する。
【００４１】
現像処理ユニット４には、第２露光部４１、現像部４２、定着部４３、安定部４４及び乾燥部４５が備えられている。第２露光部４１により露光ユニット３で露光されなかった部分の感光材料が疑似画像を形成し、第２露光された感光材料は、現像部４２、定着部４３及び安定部４４へ搬送して現像処理され、この処理された感光材料は、乾燥部４５で乾燥して排紙部１５へ送出される。
【００４２】
次に、カラープルーフ作成装置１の露光ユニット３を図９および図１０を用いて詳細に説明する。図９は、紙装填部７、給紙部２０および排紙部５０を示す側面図である。装填部をなす紙装填部７には、着脱可能なカートリッジ１０ａおよび１０ｂが装填される。
【００４３】
カートリッジ１０ａあるいは１０ｂは、カートリッジシャッター５２あるいは５３から感光材料の先端部を所定長さ引き出した状態で、給紙部２０の給紙ローラー２１ａ、２１ｂあるいは２３ａ、２３ｂの位置にセットされる。
【００４４】
なお、カートリッジ１０ａおよび１０ｂには、幅の異なる感光紙が内蔵されており、タッチパネル１２により選択された後に、あるいは、ＣＰＵ１０１による選択制御がなされた後に、いずれかにより給紙がなされる。
【００４５】
紙装填部７には、カートリッジの着脱を確認するカートリッジ有無センサＳ１およびＳ１′、給紙カバー９ａおよび９ｂの開閉を確認するカバー開検出センサＳ２およびＳ２′が存在する。また、カートリッジシャッター５２および５３は、シャッターモーターＭ５２およびＭ５３により開閉される。
【００４６】
給紙部２０は、ペーパーエンドセンサＳ４およびＳ６、給紙ローラー２１ａ、２１ｂおよび２３ａ、２３ｂ、給紙ローラー圧着解除モーターＭ２およびＭ４、給紙ローラー２１ａおよび２３ａに付随するペーパー送り量検出センサＳ２１およびＳ２３、カッター２２および２５、カッターモーターＭ２２およびＭ２５、給紙シャッター２４および１８、シャッターモーターＭ２４およびＭ１８、搬送ガイドＧ１およびＧ２、中間ローラー２６ａ、２６ｂ、エンコーダローラー２７、搬送ガイドＧ３、並びに、スクイズローラー４６を有している。
【００４７】
給紙部２０のペーパーエンドセンサＳ４およびＳ６は、給紙ローラー２１ａ、２１ｂとカートリッジ１０ａ、および給紙ローラー２３ａ、２３ｂとカートリッジ１０ｂ、との間に設けられ、このペーパーエンドセンサＳ４あるいはＳ６によりカートリッジ１０ａあるいは１０ｂから引き出される感光紙の終端を検出する。
【００４８】
また、一対の給紙ローラー２１ａ、２１ｂおよび２３ａ、２３ｂの、一方の給紙ローラー２１ａおよび２３ａは位置が固定され、他方の給紙ローラー２１ｂおよび２３ｂは、給紙ローラー圧着解除モーターＭ２およびＭ４により、移動可能になっており、ペーパー搬送動作中以外はローラー圧着によるペーパーしわ発生防止のため給紙ローラー２１ｂおよび２３ｂを待機位置へ移動させる。
【００４９】
感光材料の搬送中は、給紙ローラー２１ｂあるいは２３ｂを搬送位置に移動させて感光材料を対向する給紙ローラー２１ａ、２１ｂあるいは２３ａ、２３ｂとの間で圧着する。給紙ローラー２１ａあるいは２３ａは、給紙モーターＭ３あるいはＭ５により駆動され、感光材料が搬送される。
また、この際ペーパー送り量検出センサＳ２１あるいはＳ２３によりペーパーの引き出し長さが計測される。
【００５０】
カッター２２および２５は、カッターモーターＭ２２およびＭ２５により動作する。カッター２２あるいは２５は、給紙ローラー２１ａ、２１ｂあるいは２３ａ、２３ｂから供給される感光材料を、カッターモーターＭ２２あるいはＭ２５を駆動することにより切断する。切断された感光材料は、搬送ガイドＧ１あるいはＧ２を経由して、中間ローラー２６ａ、２６ｂに搬送される。また、搬送ガイドＧ１あるいはＧ２を経由して搬送される際には、給紙シャッター２４あるいは１８は、開状態とされ、搬送終了と同時に閉状態とされる。
【００５１】
中間ローラー２６ａ、２６ｂ、エンコーダローラー２７およびスクイズローラー４６は、一直線上に配置され、エンコーダローラー２７およびスクイズローラー４６間には搬送ガイドＧ３が設けられている。なお、エンコーダローラー２７は、回転により感光紙を送ると共に、感光紙の送り量を検出するペーパー送り量検出センサＳ１０を有している。また、スクイズローラー４６は、感光紙を、ドラム３１に圧着させ吸着状態とする。
【００５２】
つづいて、図１０は、ドラム３１、主走査部３０および副走査部４０を示す露光ユニット３の平面図である。主走査部３０のドラム３１の両端の軸部３１ａ、３１ｂは、軸受３３ａ、３３ｂを介して支持台３４ａ、３４ｂに回転可能に軸支されている。ドラム３１の一方の軸部３１ａには、駆動プーリ３５ａが設けられ、この駆動プーリ３５ａはドラム回転モーターＭ６の出力プーリ３５ｂとベルト３６により連結され、ドラム回転モーターＭ６の駆動によりドラム３１が回転する。また、ドラム３１の一方の軸部３１ａには、ロータリーエンコーダ３７が設けられ、回転パルスを出力してドラム回転に同期した画素クロック制御に用いる。
【００５３】
また、ドラム３１の他方の軸部３１ｂは、吸引ブロアＰ１に連結されている。
ドラム３１は中空体で形成され、表面には吸着孔３１ｃが形成され、吸引ブロアＰ１の駆動によりドラム３１の内部が減圧されて感光紙がドラム３１の表面に吸着される。
【００５４】
光学ユニット３２には、レッドＬＥＤユニット３２０Ｒ、グリーンＬＥＤユニット３２０Ｇ、ブルーＬＥＤユニット３２０Ｂが配置されている。レッドＬＥＤユニット３２０Ｒ、グリーンＬＥＤユニット３２０Ｇ及びブルーＬＥＤユニット３２０Ｂからの光ビームは、ミラー３２５、３２６、３２７を介して、集光レンズ３３１からドラム３１上の感光紙に画像を露光する。露光シャッター３３２は露光シャッターソレノイド３３３により開閉することで、露光開始／終了時に光路の開閉を行なう。
【００５５】
光学ユニット３２は、移動ベルト３４０に固定され、一対のガイドレール３４１、３４２に案内されてドラム軸と平行方向に移動可能に設けられている。
移動ベルト３４０は一対のプーリ３４３、３４４に掛け渡され、一方のプーリ３４４は副走査モーターＭ７の出力軸３４５に連結され、副走査モーターＭ７の駆動により光学ユニット３２がドラム軸と平行に移動する。
【００５６】
光学ユニット３２のドラム軸方向に副走査基準位置検出センサＳ１１、副走査書き込み位置検出センサＳ１２及び副走査オーバーラン位置検出センサＳ１３が配置されている。副走査基準位置検出センサＳ１１の副走査基準位置検出で光学ユニット３２が停止しており、この副走査基準位置から副走査が開始され、画像サイズに対応した移動量で副走査が停止されて副走査基準位置へ移動して復帰させる。
【００５７】
図９に戻り、排紙部５０は、剥離ガイド５１、剥離ガイド上下モーターＭ９、アキュームレーターガイド２９、アキュームレーター上下モーターＭ１２、搬送ローラー２８ａ、２８ｂ、搬出モーターＭ８、出口シャッター５５、出口シャッター開検出センサＳ１６、出口センサＳ３１および出口シャッターモーターＭ１０等を含む。剥離ガイド５１は剥離ガイド上下モーターＭ９により上下動され、上位置では剥離ガイド５１の爪部がドラム３１上の感光紙を剥離し、下位置では、ドラム３１の感光紙に影響を与えない構造を有する。
【００５８】
また、アキュームレーターガイド２９は、アキュームレーター上下モーターＭ１２により上下動され、上位置では、剥離ガイド５１により剥離された感光紙を収集し、下位置では、剥離された感光紙を蓄積状態とさせる。アキュームレーターガイド２９、剥離ガイド５１が下方へ移動することで、感光紙がアキュームレーターガイド２９から垂れ下がる状態となる。このようにして高速（現像搬送速度に対し）で感光紙を蓄積させることで、感光紙を傷つけることなく現像処理ユニット４に送り込むことができる。
【００５９】
また、アキュームレーターガイド２９に収集された感光紙は、搬出モーターＭ８により駆動される搬送ローラー２８ａ、２８ｂにより、感光紙の現像速さで現像処理ユニット４へ排紙される。出口シャッター５５は、出口シャッターモーターＭ１０で開閉される。出口シャッター５５の開閉は、出口シャッター開検出センサＳ１６で検出される。出口シャッター５５は感光紙の排出タイミングを決定し、所定のタイミングで出口シャッター５５を開いて感光紙を現像処理ユニット４へ排紙する。また、出口シャッター５５の後には、感光紙が現像処理ユニット４へ送り込まれることを検出する出口センサＳ３１が設けられている。
【００６０】
〈装置の電気的な全体構成〉
図１１に、本装置の電気的構成をブロック図で示す。この図１１に示すように、制御部１００ａは、ＣＰＵ１０１、ＲＡＭ１０２及びＲＯＭ１０３を有し、Ｉ／Ｏポート１０４，１０５を介してセンサ類及びアクチュエータ群に接続され、センサ類からの情報に基づきアクチュエータ群を制御する。
【００６１】
センサ類としては、前述したカートリッジ有無センサＳ１、カバー閉検出センサＳ２、カバーロック検出センサＳ３、ペーパーエンドセンサＳ４、給紙ローラー圧着位置検出センサＳ５、給紙ローラー解除位置検出センサＳ６、ドラム給排紙ローラー圧着位置検出センサＳ７、ドラム給排紙ローラー解除位置検出センサＳ８、ペーパー先端基準位置センサＳ９、ペーパー送り量検出センサＳ１０、ローターリエンコーダ３７、副走査基準位置検出センサＳ１１、副走査書き込み位置検出センサＳ１２、副走査オーバーラン位置検出センサＳ１３、剥離ガイド開センサＳ１４、剥離ガイド閉センサＳ１５、出口シャッター開検出センサＳ１６、剥離ジャム検出センサＳ３０が接続される。また、この図には現れない出口センサＳ３１も接続される。
【００６２】
アクチュエータ群としては、カバーロックモーターＭ１、給紙ローラー圧着解除モーターＭ２、給紙モーターＭ３、カッターモーターＭ２０、ドラム給排紙モーターＭ４、ドラム給排紙ローラー圧着解除モーターＭ５、ドラム回転モーターＭ６、副走査モーターＭ７、露光シャッターソレノイド３３３、搬出モーターＭ８、剥離ガイド上下モーターＭ９、出口シャッターモーターＭ１０が接続され、ドライバＤ１，Ｄ２，Ｄ３，Ｄ１１，Ｄ５，Ｄ４，Ｄ６，Ｄ７，Ｄ３３３，Ｄ８，Ｄ９，Ｄ１０を介してそれぞれ駆動される。
【００６３】
また、操作部８は液晶パネル１１がドライバＤ２０により制御され、カラープルーフ作成装置の運転状態を表示する。また、タッチパネル１２からの操作による指令は、Ａ／Ｄ変換器１２０によりデジタル情報としてＣＰＵ１０１に送られる。
【００６４】
外部接続されたＲＩＰ（ラスタ・イメージ・プロセッサ）５００から、デジタル画像情報（画像データ）が画像データＩ／Ｆ部２０１を介して画像データ格納手段２０４へ送られる。
【００６５】
この画像データ格納手段２０４は、受信された画像データを格納することにより、露光記録された画像データについて、現像処理ユニット４（図８参照）で現像処理されて機外へ搬出され終わるまでは保持するように構成されたものである。
【００６６】
すなわち、この画像データ格納手段２０４は、ＲＩＰ５００から送られてくるＹ，Ｍ，Ｃ，Ｋデータを１枚分毎に記憶するＹデータバッファ、Ｍデータバッファ、Ｃデータバッファ、Ｋデータバッファを１組としたものが設けられて構成されている。
【００６７】
一方、ロータリーエンコーダー３７からの感光材料送り情報に基づくＰＬＬ２０２の出力信号に同期させて、ドットクロック生成部２０３のドットクロックでデジタル画像情報（画像データ）を画像データ格納手段２０４からＬＵＴ（ルックアップテーブルが格納された画像メモリ）２０５およびＤ−Ａ変換器２０６Ｒ，２０６Ｇ，２０６Ｂを介してドライバ２０７Ｒ，２０７Ｇ，２０７Ｂに与え、これらドライバ２０７Ｒ，２０７Ｇ，２０７ＢによりレッドＬＥＤユニット３２０Ｒ、グリーンＬＥＤユニット３２０Ｇ、ブルーＬＥＤユニット３２０Ｂをそれぞれ駆動する。
【００６８】
ここで、ＲＩＰ５００により作成された各色（Ｃ，Ｍ，Ｙ，Ｋ）の網点画像データは画像データＩ／Ｆ部２０１に転送され、そこでＲＩＰフォーマットから露光用フォーマットにデータ変換されて画像データ格納手段２０４に蓄積されるようになっている。画像データ格納手段２０４に１枚分の画像データが蓄積された後、全色同時露光される。
【００６９】
なお、このＲ，Ｇ，ＢへのＬＵＴ２０５による変換と露光とは、分色データの色数（ＹＭＣＫ）毎、あるいは、光源の波長（ＲＧＢ）毎に露光を繰り返すものとする。
【００７０】
〈本発明の実施の形態例の特徴構成〉
以下、本実施の形態例の特徴部分である「カートリッジ決定処理」を有する装置の構成について図１を参照して説明する。
【００７１】
図１は本実施の形態例における「カートリッジ決定処理」を実行するための制御手段を構成するＣＰＵ１０１周囲の構成を機能別に示す機能ブロック図である。
【００７２】
この図１は主要部の構成を詳細に示すブロック図となっている。ここで図１１と同一のものは、同一の符号を付して示す。
【００７３】
この図１において、１０１は全体の動作を制御する制御手段としてのＣＰＵである。このＣＰＵ１０１は、分色データの色数毎、あるいは、光源の波長毎に露光を繰り返すことで記録媒体に多重記録してカラー画像を形成する制御手段を構成している。
【００７４】
また、本実施の形態例において、ＣＰＵ１０１は、画像データ格納手段２０４において画像データを環状記憶する際の各種処理を実行する制御手段を構成している。また、このＣＰＵ１０１は、保持すべきデータのそれぞれに属性情報を付与し、該属性情報によって保持するか否かの制御を行う制御手段をも構成している。
【００７５】
１０６は各種操作が入力される操作部であり、本体操作部２における操作部８の電気的構成部分である。なお、この操作部１０６では、オペレータによる各種パラメータ、例えば設定時間等の設定、および、カートリッジ情報の登録、ならびに、カートリッジの交換要求の表示等が行われる。
【００７６】
１０７は上述したカートリッジ情報が保持されるカートリッジ情報保持手段である。ここで、カートリッジ情報とは、給紙手段において使用可能なカートリッジについてのカートリッジ情報であり、操作部１０６から登録される。
【００７７】
なお、カートリッジ情報としては、カートリッジ番号、カートリッジに収容されている感光材料の幅、感光材料の種類（光沢／マットなどの種別）、などが該当する。
【００７８】
たとえば、画像記録装置にはｎ本のカートリッジが装填可能であり、また、画像記録装置にはｍ本のカートリッジを使用することが可能としてカートリッジ情報保持手段に登録することができる。ここで、１≦ｎ≦ｍである。なお、この実施の形態例では、ｎ＝２、ｍ＝８を具体例として説明を行う。すなわち、８本のカートリッジが装填可能であるとしてカートリッジ情報が保持されており、そのうち２本のカートリッジが実際に装填された状態を具体例にする。
【００７９】
１０８ａはカートリッジ１０ａの装着有無、カートリッジ番号の検出、感光材料エンプティ検出などを行うためのカートリッジセンサであり、検出結果はＣＰＵ１０１に伝達される。
【００８０】
また、１０８ｂはカートリッジ１０ｂの装着有無、カートリッジ番号の検出、感光材料エンプティ検出などを行うためのカートリッジセンサであり、検出結果はＣＰＵ１０１に伝達される。
【００８１】
このために、カートリッジセンサは、接触／非接触を問わない各種の読み取り方式によって、カートリッジに付されたカートリッジ情報を読み取り可能に構成されているものとする。
【００８２】
また、１１０は複数のテーブルデータを格納しているＲＯＭや不揮発性メモリなどにより構成された色別テーブルデータ保持部１１１からのテーブルデータを選択的に取り出すテーブル選択部である。
【００８３】
２０１は網点変換処理装置等のＲＩＰからのデータ（制御データと画像データ）を受けるためのインタフェースである。以下、インタフェース２０１をＩ／Ｆ２０１と呼ぶ。
【００８４】
２０４は網点変換処理装置等のＲＩＰ５００から送られてくるＹ，Ｍ，Ｃ，Ｋデータを１枚分毎に記憶するＹデータバッファ、Ｍデータバッファ、Ｃデータバッファ、Ｋデータバッファを１組としたものが設けられて構成されている。
【００８５】
そして、ＹＭＣＫの１枚分ずつ格納された画像データは、ドットクロックに同期してそれぞれが並行して読み出され、ＬＵＴ２０５に対してＬＵＴ変換の際のアドレスとして与えられる。
【００８６】
２０５は各画像データ格納手段２０４からの出力をアドレスとして受けて、カラー感光材料を多重露光するためのＲ，Ｇ，Ｂデータを出力するデータ変換手段としてのＬＵＴである。
【００８７】
なお、この発明の実施の形態例では、記録媒体に露光を行う際に、記録色Ｒ，Ｇ，Ｂを一括して露光するのではなく、ＲＧＢの波長毎に露光を繰り返すことで記録媒体に多重記録してカラー画像を形成するようにしている。
【００８８】
該ＬＵＴ２０５は、アドレスバスで与えられる番地に、テーブル選択部１１０の指示に基づいて色別テーブルデータ保持部１１１からＲ，Ｇ，Ｂの発光強度を示すデータが予め与えられ、書き込まれるようになっている。即ち、アドレスバスで与えられる番地にデータバスから所定の値のＲ，Ｇ，Ｂの値が書き込まれる。
【００８９】
この際、色別テーブル保持部１１１から読み出されてＬＵＴ２０５に書き込まれるテーブルとしては、カラーコレクションテーブル、濃度−光源駆動データ変換テーブル、光源駆動データテーブル、などを有して構成されている。
【００９０】
すなわち、データ変換手段としてのＬＵＴ２０５は、ホスト装置からの画像データを再現色の濃度で表す再現色濃度データに変換するカラーコレクションテーブルと、前記再現色濃度データを光源駆動データに変換する濃度・光源駆動データ変換テーブルと、前記光源駆動データの色の組み合わせにより画素単位で光源の駆動をスイッチングするための光源駆動データテーブルと、を備えて構成されている。
【００９１】
２０６は、ＬＵＴ２０５の各出力（光源駆動データ）を受けてアナログ信号に変換するＤ−Ａ変換器、２０７Ｒ，２０７Ｇ，２０７Ｂは、Ｄ−Ａ変換器２０６の各出力を受けてＬＥＤを駆動する光源ドライバ、３２０Ｒ〜３２０Ｂは光源ドライバ２０７Ｒ，２０７Ｇ，２０７Ｂの出力を受けて発光する光源としてのＬＥＤである。
【００９２】
〈本発明の実施の形態例の動作〉
つづいて、図２のフローチャートを用いて、装置本体２，露光ユニット３および紙装填部７についてのメインルーチンの動作を本発明の実施の形態例の特徴部分を中心にして説明する。
【００９３】
このメイン処理がスタートした場合、ＣＰＵ１０１は、露光ユニット３および現像処理ユニット４等の装置初期化処理を行う（ステップＳ２０１）。ここでは、装置の初期設定、さらには、各機構部の初期位置への配置が行われる。その後、カラープルーフ作成装置１全体が安定化するまで、ＣＰＵ１０１の指示により、ウオームアップが行われる（ステップＳ２０２）。
【００９４】
その後、ＣＰＵ１０１は、画像データの転送要求がＲＩＰ５００から受信されているかどうかを判定し（ステップＳ２０３）、この転送要求が受信されている場合には（ステップＳ２０３でＹ）、画像データ受信処理を行う（ステップＳ２０４）。
【００９５】
この画像データ受信処理では、ＲＩＰ５００により作成された各色（Ｃ、Ｍ、Ｙ、Ｋ）の網点画像データが、画像データ入力部２０１に転送され、そこでＲＩＰフォーマットから露光用フォーマットにデータ変換されて画像データ格納手段２０４に蓄積される。
【００９６】
その後、ＣＰＵ１０１は、転送要求が受信されていない場合には（ステップＳ２０３でＮ）、画像データ格納手段２０４に受信済みの未記録画像データがあるかどうかを判定する（ステップＳ２０５）。
【００９７】
画像データ格納手段２０４に受信済みの未記録画像データがない場合には（ステップＳ２０５でＮ）、ステップＳ２０３に移行し、画像データの転送要求を受信し、画像データ格納手段２０４に画像データを格納するまで、ステップＳ２０３、ステップＳ２０５の各処理ステップを繰り返す。
【００９８】
画像データ格納手段２０４に受信済みの未記録画像データがある場合には（ステップＳ２０５でＹ）、カートリッジ決定処理として、まず、カートリッジ決定のためのモード判定処理を行う（ステップＳ２０６）。
【００９９】
このモード判定処理は、カートリッジ情報保持手段１０７に保持されたカートリッジ情報を参照し、以下の（１）〜（３）のいずれのモードで画像記録を実行するよう設定されているかを判定する処理である。
（１）操作部１０６からユーザ（オペレータ）によって具体的に指示されたカートリッジを選択するモード；
（２）画像記録装置に実際に装填されているカートリッジの中から画像データのサイズに応じて最適なカートリッジを選択するモード；
（３）予め使用可能であるとしてカートリッジ情報が登録されたカートリッジの中から画像データのサイズに応じて最適なカートリッジを選択するモード；
なお、以上の各モードは、操作部１０６からユーザによって選択されてもよいし、装置設置時にサービスマンによって操作部１０６から選択されてもよいし、ホスト装置から指定するようにしてもよいし、画像記録装置として予め設定してあってもよい。
【０１００】
ここで、モード判定処理（ステップＳ２０６）により、操作部１０６からユーザ（オペレータ）によって具体的に指示されたカートリッジを選択するモードが画像記録装置として設定されていると判定されたとする。この場合、ＣＰＵ１０１の制御によって画像記録時に操作部１０６からユーザの指定を求めるような表示を表示し、操作部１０６からユーザ（オペレータ）によって具体的に指示されたカートリッジを選択する（ステップＳ２０７）。
【０１０１】
そして、ＣＰＵ１０１は、ユーザによって指示されたカートリッジが画像記録装置に実際に装填されているか否かを調べる（ステップＳ２１０）。
【０１０２】
ユーザによって指示されたカートリッジが画像記録装置に実際に装填されていなければ（ステップＳ２１０でＮ）、ＣＰＵ１０１は指示されたカートリッジを装填するような注意メッセージを操作部１０６に表示し、カートリッジの装填を要求する（ステップＳ２１１）。
【０１０３】
ユーザによって指示されたカートリッジが画像記録装置に実際に装填されていれば（ステップＳ２１０でＹ）、ＣＰＵ１０１は給紙搬送のための給紙処理を行う（ステップＳ２１２）。
【０１０４】
ここで、給紙処理（ステップＳ２１２）は、給紙搬送手段をなすものであり、この動作を図３に示すフローチャートを用いて説明する。
【０１０５】
紙装填部に装填されたカートリッジから引き出された感光紙部分を、搬送系ローラで挟み込み圧着する（ステップＳ３０１）。そして、給紙モーターを駆動し、カートリッジ内部の感光紙を引き出しつつ、エンコーダにより、引き出された感光紙の測長を行う測長引き出し処理を行う（ステップＳ３０２）。
【０１０６】
その後、ＣＰＵ１０１は、引き出された所定長さの感光紙を、カッターで裁断するペーパーカット処理を行い（ステップＳ３０３）、それから、この裁断された感光紙を、ガイドを経由して、ドラム３１にセットする露光室ペーパーセットを行う（ステップＳ３０４）。ここで、図２のメインルーチンに戻る。
【０１０７】
その後、図２に戻り、ＣＰＵ１０１は、カートリッジに収容されている感光材料の空（エンプティ）を検出し（ステップＳ２１３）、感光材料が空でなければ（ステップＳ２１３でＮ）、画像データを読み出し、プリント処理（ステップＳ２２４）を実行する。
【０１０８】
また、ＣＰＵ１０１は、カートリッジに収容されている感光材料の空（エンプティ）を検出し、感光材料が空であれば（ステップＳ２１３でＹ）、指示されたカートリッジを装填するような警告メッセージを操作部１０６に表示し、カートリッジの装填を要求する（ステップＳ２１４）。
【０１０９】
そして、ＣＰＵ１０１はカートリッジの装填確認（ステップＳ２１０）〜給紙処理（ステップＳ２１２）〜エンプティ検出処理（ステップＳＳ２１３）を繰り返す。
【０１１０】
ここで、モード判定処理（ステップＳ２０６）により、画像記録装置に実際に装填されているカートリッジの中から画像データのサイズに応じて最適なカートリッジを選択するモードが、画像記録装置として設定されていると判定されたとする。この場合、ＣＰＵ１０１は、画像記録装置に実際に装填されているカートリッジの中から画像データのサイズに応じて最適なカートリッジを選択する（ステップＳ２０８）。
【０１１１】
あるいは、モード判定処理（ステップＳ２０６）により、予め使用可能であるとしてカートリッジ情報が登録されたカートリッジの中から画像データのサイズに応じて最適なカートリッジを選択するモードが、画像記録装置として設定されていると判定されたとする。この場合、ＣＰＵ１０１は、予め使用可能であるとしてカートリッジ情報が登録されたカートリッジの中から画像データのサイズに応じて最適なカートリッジを選択する（ステップＳ２０９）。
【０１１２】
そして、ＣＰＵ１０１は、上記選択（Ｓ２０８またはＳ２０９）によって選択されたカートリッジが画像記録装置に実際に装填されているか否かを調べる（ステップＳ２１５）。
【０１１３】
ここで、上記選択（Ｓ２０８またはＳ２０９）によって選択されたカートリッジが画像記録装置に実際に装填されていなければ（ステップＳ２１５でＮ）、ＣＰＵ１０１は選択されたカートリッジを装填するような注意メッセージを操作部１０６に表示し、カートリッジの装填を要求する（ステップＳ２１６）。
【０１１４】
上記選択（Ｓ２０８またはＳ２０９）によって選択されたカートリッジが画像記録装置に実際に装填されていれば（ステップＳ２１５でＹ）、ＣＰＵ１０１は給紙搬送のための給紙処理を行う（ステップＳ２１７）。
【０１１５】
ここで、給紙処理（ステップＳ２１７）は、給紙搬送手段をなすものであり、先ほど図３に示すフローチャートで動作を説明したものと同じである。
【０１１６】
その後、ＣＰＵ１０１は、カートリッジに収容されている感光材料の空（エンプティ）を検出し（ステップＳ２１８）、感光材料が空でなければ（ステップＳ２１８でＮ）、画像データを読み出し、プリント処理（ステップＳ２２４）を実行する。
【０１１７】
また、ＣＰＵ１０１は、カートリッジに収容されている感光材料の空（エンプティ）を検出し、感光材料が空であれば（ステップＳ２１８でＹ）、以下のモード判定処理を実行する（ステップＳ２１９）。
【０１１８】
このモード判定処理は、上記選択によって選択されたカートリッジを今後の選択対象として保持するかあるいは解除するか、いずれが設定されているかを判定する処理である。
（ａ）上記選択によって選択されたカートリッジを、感光材料がエンプティであっても、今後の選択対象として保持するモード；
（ｂ）上記選択によって選択されたカートリッジを、感光材料がエンプティであれば、今後の選択対象として保持せずに解除するモード；
なお、以上の各モードは、操作部１０６からユーザによって選択されてもよいし、装置設置時にサービスマンによって操作部１０６から選択されてもよいし、ホスト装置から指定するようにしてもよいし、画像記録装置として予め設定してあってもよい。
【０１１９】
以上の判定処理（ステップＳ２１９）により、選択されたカートリッジをエンプティ時に今後の選択対象としては解除するモードであると判明した場合（ステップＳ２１９解除）、記録条件（記録画像（感光材料）サイズ、感光材料表面処理（光沢／マット）など）を満足する感光材料が収容された他のカートリッジが装填されていれば（ステップＳ２２１でＹ）、ＣＰＵ１０１は該他のカートリッジを選択する（ステップＳ２２２）。
【０１２０】
この選択は、上述したＳ２０８あるいはＳ２０９における選択を置き換えるものである。このため、感光材料がエンプティになっても画像記録の停止を生じさせずに、その後の処理も実行することが可能になる。
【０１２１】
また、記録条件を満足する感光材料が収容された他のカートリッジが装填されていなければ（ステップＳ２２１でＮ）、条件を満足するカートリッジを装填するような警告メッセージを操作部１０６に表示し、カートリッジの装填を要求する（ステップＳ２２３）。このような警告をＣＰＵ１０１が発するため、ユーザが速やかにカートリッジを交換することができて、画像記録の停止が最小限ですむようになる。
【０１２２】
また、以上の判定処理（ステップＳ２１９）により、選択されたカートリッジをエンプティ時に今後の選択対象として保持するモードであると判明した場合（ステップＳ２１９で保持）、記録条件（記録画像（感光材料）サイズ、感光材料表面処理（光沢／マット）など）が前記選択と同一である感光材料が収容された他のカートリッジ（同一カートリッジ）が装填されていれば（ステップＳ２２０でＹ）、ＣＰＵ１０１は該他のカートリッジを選択する（ステップＳ２２２）。
【０１２３】
この選択は、上述したＳ２０８あるいはＳ２０９における選択を置き換えるものである。このため、感光材料がエンプティになっても画像記録の停止を生じさせずに、その後の処理も実行することが可能になる。
【０１２４】
また、同一の感光材料が収容された他のカートリッジが装填されていなければ（ステップＳ２２０でＮ）、同一カートリッジを装填するような警告メッセージを操作部１０６に表示し、カートリッジの装填を要求する（ステップＳ２２３）。このような警告をＣＰＵ１０１が発するため、ユーザが速やかにカートリッジを交換することができて、画像記録の停止が最小限ですむようになる。
【０１２５】
そして、ＣＰＵ１０１はカートリッジの装填確認（ステップＳ２１５）〜給紙処理（ステップＳ２１７）〜エンプティ検出処理（ステップＳＳ２１８）〜選択対象条件判定（ステップＳ２１９）〜他方カートリッジ選択（ステップＳ２２２）あるいは警告（ステップＳ２２３）を繰り返す。
【０１２６】
なお、以上の各処理でエンプティとして検出されない場合（ステップＳ２１３でＮ、Ｓ２１８でＮ）には、画像データを読み出し、プリント処理（ステップＳ２２４）を実行する。
【０１２７】
すなわち、画像データ格納手段２０４に格納されている受信済み未記録画像データを読み出して、ＬＵＴ２０５内のカラーコレクションテーブル、濃度−光源駆動データ変換テーブル、光源駆動データテーブルなどにより光源駆動データを生成し、光源を駆動して感光材料の露光を行う（ステップＳ２２４）。
このプリント処理の機械的部分の動作を示すフローチャートを図４に示す。
【０１２８】
ＣＰＵ１０１は、露光室の主走査モーターであるドラム回転モーターＭ６の起動（ステップＳ４０２）、および副走査モーターＭ７の起動（ステップＳ４０３）を行う。そして、ドラム３１にセットされた感光紙および光学ユニット３２がプリント開始位置にあるかどうかを判定する（ステップＳ４０４）。
【０１２９】
なお、この実施の形態例では、画像データより外側の余白部分からプリントを開始するため、従来とはプリント開始位置が異なるものとして設定されている。
【０１３０】
プリント開始位置にない場合には（ステップＳ４０４でＮ）、プリント開始位置への配置を行う。
【０１３１】
その後、ＣＰＵ１０１は、ドラム３１にセットされた感光紙および光学ユニット３２がプリント開始位置にある場合には（ステップＳ４０４でＹ）、ＬＥＤ３２０からレーザー光を照射し画像出力を開始する（ステップＳ４０５）。
【０１３２】
そして、この画像出力を継続して行い、プリントが終了したかどうかを判定する（ステップＳ４０６）。
【０１３３】
プリントが終了した際には（ステップＳ４０６でＹ）、ＣＰＵ１０１は、露光室の主走査モーターであるドラム回転モーターＭ６の停止（ステップＳ４０７）および副走査モーターＭ７の停止（ステップＳ４０８）を行い、光学ユニット３２をホーム位置に戻す副走査ホーム位置復帰処理を行い（ステップＳ４０９）、図２のメインルーチンに戻る。
【０１３４】
その後、図２に戻り、ＣＰＵ１０１は、ドラム３１からアキュームレーターガイド２９への排紙処理（ステップＳ２２５）および、アキュームレーターガイド２９から現像処理ユニット４への搬出処理（ステップＳ２２６）が行われ、現像処理ユニット４に搬出の後に現像される。
【０１３５】
感光紙がステップＳ２２６により搬出された後は、ステップＳ２０３へ移行し、前述した画像データ転送要求確認（ステップＳ２０３）〜搬出処理（Ｓ２２６）の処理を繰り返す。
【０１３６】
なお、ＣＰＵ１０１の排紙処理および搬出処理の動作を図５および図６のフローチャートに示した。図５は、排紙処理の動作を示すフローチャートである。まず、ドラム３１に吸着されている感光紙は、吸着状態で露光される。この状態で、下がった状態にある剥離ガイド５１を、剥離ガイド上下モーターＭ９により上げた状態として、剥離爪をドラム３１に接する剥離位置にセットする（ステップＳ５０１）。
【０１３７】
その後、ＣＰＵ１０１は、アキュームレーターガイド２９を下げた状態から上げた状態として、剥離ガイド５１により剥離される感光紙がアキュームレーターガイド２９に搬送される、搬送路が閉じた状態とする（ステップＳ５０２）。その後、ドラム３１に吸着された感光紙を、剥離爪がドラム３１と接するドラム排紙位置にセットし（ステップＳ５０３）、ドラム３１上の感光紙を剥離し、アキュームレーターガイド２９への搬入を開始する（ステップＳ５０４）。そして、出口センサにより感光紙の検出を行い、感光紙が出口に達したかどうかを判定する（ステップＳ５０５）。ここで、感光紙を検出しない間は（ステップＳ５０５でＮ）、搬入を継続し、感光紙を検出した場合は（ステップＳ５０５でＹ）、アキュームレーターガイド２９を下げて、ドラム３１からアキュームレーターガイド２９への搬送路が開いた状態とする（ステップＳ５０６）。これにより、感光紙がアキュームレーターガイド２９から垂れ下がったアキューム状態とし、搬入が完了したかどうかを判定し（ステップＳ５０７）、搬入が完了していない場合には（ステップＳ５０７でＮ）搬入を継続し、搬入が完了した場合には（ステップＳ５０７でＹ）、剥離ガイド５１を、下げた状態にして剥離爪がドラム３１から離れたホーム位置に復帰し（ステップＳ５０８）、この排紙処理を終了する。
【０１３８】
つづいて、図２におけるステップＳ２２６の搬出処理を、図６のフローチャートを用いて説明する。排紙部５０にアキューム状態で保持された感光紙は、ステップＳ２０９の搬出処理により、現像処理ユニット４へ搬送される。
【０１３９】
まず、ＣＰＵ１０１は、出口シャッター５５を開状態とし（ステップＳ６０１）、感光紙が通過可能とする。そして、ローラ２８に付属される搬出モーターＭ８を起動し（ステップＳ６０２）、感光紙の現像処理ユニット４への搬送を開始する。
【０１４０】
その後、ＣＰＵ１０１は、出口センサにより感光紙の検出を行い、出口に感光紙があるかどうかを判定する（ステップＳ６０３）。ここで、感光紙が出口にある場合は（ステップＳ６０３でＹ）、感光紙の搬送を継続し、出口で感光紙を検出しなくなった場合には（ステップＳ６０３でＮ）、搬出モーターＭ８を停止し（ステップＳ６０４）、出口シャッター５５を閉じて（ステップＳ６０５）、この処理を終了する。
【０１４１】
その後、図２のフローチャートにおいて、ＣＰＵ１０１は、ステップＳ２０３に移行し、画像データの受信、環状記憶処理、給紙処理、プリント処理、排紙処理および搬出処理を繰り返す。
【０１４２】
なお、以上の搬出処理（ステップＳ２２６）によって装置本体２側での処理は完了するため、新たな画像データの受信・記憶（ステップＳ２０３〜）に移行する。
【０１４３】
以上説明した本実施の形態例における「カートリッジ決定処理」を備えた画像記録装置により、以下に述べるような効果が得られる。
【０１４４】
（Ａ）この発明では、各色毎に色分解された状態の画像データを受信し、画像データに基づいて、複数の発色層からなる感光材料を波長の異なる光を発する複数の各光源により露光して、感光材料にカラー画像を記録する際に、保持されたカートリッジ情報を参照し、予め使用可能であるとしてカートリッジ情報が登録されたカートリッジあるいは装填されたカートリッジの中から最適なカートリッジを選択して給紙時に要求し、選択されたカートリッジの感光材料が空となった場合に、該選択されたカートリッジを今後の選択対象として保持するかあるいは解除するかを設定可能に構成されている。
【０１４５】
したがって、保持されたカートリッジ情報を参照し、予め使用可能であるとしてカートリッジ情報が登録されたカートリッジ、あるいは、装填されたカートリッジのいずれかから最適なカートリッジを選択することができ、選択範囲を任意に設定することが可能になる。また、選択されたカートリッジの感光材料が空となった場合に、該選択されたカートリッジを今後の選択対象として保持するかあるいは解除するかが設定可能に構成されているため、継続動作させるための条件を決定することが可能になる。
【０１４６】
（Ｂ）上記（Ａ）において、選択されたカートリッジの感光材料が空となった際に、該選択されたカートリッジを今後の選択対象として保持すると設定されている場合には、同一の感光材料が収容された他のカートリッジが装填されていれば、該他のカートリッジを選択し、同一の感光材料が収容された他のカートリッジが装填されていなければ警告を発する。この結果、選択されたカートリッジの感光材料が空となっても、該選択されたカートリッジを今後の選択対象として保持すると設定されている場合には、同一の感光材料が収容された他のカートリッジが装填されていれば、該他のカートリッジを選択するため、感光材料がエンプティになっても画像記録の停止を生じさせずに、その後の処理も実行することが可能になる。また、同一の感光材料が収容された他のカートリッジが装填されていない場合に警告を発するため、画像記録の停止が最小限ですむようになる。
【０１４７】
（Ｃ）また、上記（Ａ）において、選択されたカートリッジの感光材料が空となった際に、該選択されたカートリッジを今後の選択対象として解除すると前記カートリッジ情報保持手段に設定されている場合には、記録条件を満足する感光材料が収容された他のカートリッジが装填されていれば、該他のカートリッジを選択し、記録条件を満足する感光材料が収容された他のカートリッジが装填されていなければ警告を発する。この結果、選択されたカートリッジの感光材料が空となった際に、該選択されたカートリッジを今後の選択対象として解除すると設定されている場合には、記録条件を満足する感光材料が収容された他のカートリッジが装填されていれば、該他のカートリッジを選択するため、感光材料がエンプティになっても画像記録の停止を生じさせずに、その後の処理も実行することが可能になる。また、記録条件を満足する感光材料が収容された他のカートリッジが装填されていなければ警告を発するため、画像記録の停止が最小限ですむようになる。
【０１４８】
【発明の効果】
以上、詳細に説明したように、本発明によれば、保持されたカートリッジ情報を参照し、予め使用可能であるとしてカートリッジ情報が登録されたカートリッジ、あるいは、装填されたカートリッジのいずれかから最適なカートリッジを選択することができ、選択範囲を任意に設定することが可能になる。また、選択されたカートリッジの感光材料が空となった場合に、該選択されたカートリッジを今後の選択対象として保持するかあるいは解除するかが設定可能に構成されているため、継続動作させるための条件を決定することが可能になる。
【０１４９】
また、選択されたカートリッジの感光材料が空となっても、該選択されたカートリッジを今後の選択対象として保持すると設定されている場合には、同一の感光材料が収容された他のカートリッジが装填されていれば、該他のカートリッジを選択するため、感光材料がエンプティになっても画像記録の停止を生じさせずに、その後の処理も実行することが可能になる。また、同一の感光材料が収容された他のカートリッジが装填されていない場合に警告を発するため、画像記録の停止が最小限ですむようになる。
【０１５０】
そして、選択されたカートリッジの感光材料が空となった際に、該選択されたカートリッジを今後の選択対象として解除すると設定されている場合には、記録条件を満足する感光材料が収容された他のカートリッジが装填されていれば、該他のカートリッジを選択するため、感光材料がエンプティになっても画像記録の停止を生じさせずに、その後の処理も実行することが可能になる。また、記録条件を満足する感光材料が収容された他のカートリッジが装填されていなければ警告を発するため、画像記録の停止が最小限ですむようになる。
【図面の簡単な説明】
【図１】本発明の実施の形態例の主要部の構成を示すブロック図である。
【図２】本本発明の実施の形態例の制御部の動作を示すフローチャートである。
【図３】制御部の給紙処理の動作を示すフローチャートである。
【図４】制御部のプリント処理の動作を示すフローチャートである。
【図５】制御部の排紙処理の動作を示すフローチャートである。
【図６】制御部の搬出処理の動作を示すフローチャートである。
【図７】本発明の実施の形態例の画像記録装置の全体構成を示す外観図である。
【図８】本発明の実施の形態例のカラープルーフ作成装置の内部構成を示す模式図である。
【図９】本発明の実施の形態例の紙装填部、給紙部および排紙部を示す側面図である。
【図１０】本発明の実施の形態例の主走査部および副走査部を示す平面図である。
【図１１】本発明の実施の形態例のシステムの電気的構成を示すブロック図である。
【符号の説明】
１  カラープルーフ作成装置
２  装置本体
３  露光ユニット
４  現像処理ユニット
７  紙装填部
８  操作部
１０  カートリッジ
１００ａ  制御部
１０１  ＣＰＵ
１０６  操作部
１０７  カートリッジ情報保持手段
１０８ａ，１０８ｂ  カートリッジセンサ
２０１  Ｉ／Ｆ
２０４  画像データ格納手段
２０５  ＬＵＴ
５００  ＲＩＰ
【図１】
2005051343.tif 000003
【図２】
2005051343.tif 000004
【図３】
2005051343.tif 000005
【図４】
2005051343.tif 000006
【図５】
2005051343.tif 000007
【図６】
2005051343.tif 000008
【図７】
2005051343.tif 000009
【図８】
2005051343.tif 000010
【図９】
2005051343.tif 000011
【図１０】
2005051343.tif 000012
【図１１】
2005051343.tif 000013